(57)【要約】【課題】  ステージの奥に可動物を配置した表示装置の枠体において、遊技球が可動物側に侵入するのを防止する。【解決手段】  ワープ通路からステージ２４に放出された遊技球がステージ２４上で遊動した際にステージ２４から跳ね上がるようにして豚人形１６へ向かうことがあっても、ステージ２４と豚人形１６との間に存在する仕切シート２３が、そのような遊技球が豚人形１６に侵入するのを阻止する。遊技球がステージ２４から豚人形１６側に侵入して豚人形１６に衝突したり、豚人形１６の間にはまり込んだりして動作を妨げることはない。【選択図】  図２
2006051156.tif 000002
【特許請求の範囲】
【請求項１】
表示装置の表示面を臨ませるための窓を有する窓枠体と、該窓枠体の前方に配され遊技球を遊動させて落下させるステージとを備える表示装置の枠体において、
前記窓と前記ステージとの間に配された可動物と、
透明シートを切断して作られて、前記可動物と前記ステージとを仕切る仕切シートと
を設けたことを特徴とする表示装置の枠体。
【請求項２】
請求項１記載の表示装置の枠体において、
該枠体は、前記窓枠体及び可動物が含まれる窓構造部と前記ステージが含まれる通路構造部とを備え、
前記仕切シートは前記窓構造部と前記通路構造部とに挟持されている
ことを特徴とする表示装置の枠体。
【請求項３】
請求項１または２記載の表示装置の枠体において、
前記窓枠体は筒状体であり、
前記仕切シートは、該筒状体の前端の開口部分を閉鎖している
ことを特徴とする表示装置の枠体。
【発明の詳細な説明】
【技術分野】
【０００１】
本発明は、遊技機の技術分野に属し、詳しくは遊技機に装着される表示装置の枠体に関する。
【背景技術】
【０００２】
パチンコ機などの遊技機には図柄表示装置を備えるものがある。一般的には、遊技盤の中央部に枠体（センターケースとかセンター役物とか呼ばれる）を取り付けて、その枠体の背後側に表示装置を取り付けている。そのため、枠体には表示装置の表示面を臨ませるための窓を有する窓枠体が備わっている。
【０００３】
また、枠体が遊技盤の前面側に突出して、遊技盤の中央部を遮断する状態で遊技球の流下経路を狭めるので、枠体は、上方から流下してくる遊技球を取り込んで、いわゆるワープにて枠体の下部に設けられたステージ上に誘導し、そのステージにて遊技球を遊動させて落下させる構成とされるのが普通である。
【特許文献１】特開２００４−７３２６４号公報
【発明の開示】
【発明が解決しようとする課題】
【０００４】
表示装置の枠体において、窓とステージとの間に可動物を配して、その可動物の動作にて（例えば表示装置の表示に対応させて可動物を動作させて）、遊技を盛り上げようとすると、ワープからステージ上に放出された遊技球が跳躍して可動物に衝突したり、可動物の動作を妨げるおそれがある。
【課題を解決するための手段】
【０００５】
請求項１記載の表示装置の枠体は、表示装置の表示面を臨ませるための窓を有する窓枠体と、該窓枠体の前方に配され遊技球を遊動させて落下させるステージとを備える表示装置の枠体において、前記窓と前記ステージとの間に配された可動物と、透明シートを切断して作られて、前記可動物と前記ステージとを仕切る仕切シートとを設けたので、ステージから跳躍した遊技球が可動物側に侵入するのを仕切シートが阻止する。これにより、ステージから跳躍した遊技球が可動物に衝突したり、可動物の動作を妨げることはなくなる。
【０００６】
表示装置の表示面（例えば液晶、ＥＬ、プラズマディスプレイ等の画面、ベルトやドラムに描かれた図柄）を見せなければならないので、仕切シートは透明シートを切断して作られている。
【０００７】
従来の表示装置の枠体においても、表示面を保護するために透明板（例えば特許文献１の透視パネル７）を用いることがあった。しかし、従来の透明板は透明樹脂の射出成形品であったので、ヒケ、ソリ、スワール等の欠陥ができることがあり、視認性を低下させていた。
【０００８】
ところが、本発明では透明シートを切断して作られた仕切シートを用いているので、仕切シートには光学的な歪み等はなく、光の透過性はきわめて均等であり、上述のような視認性の低下は発生しない。
【０００９】
仕切シートは、例えば押出や延伸によって製造された透明シートを、窓枠体の形状等に合わせて切断（例えば打ち抜き）して作られる。
仕切シートの材質は、透明な合成樹脂であればよく、その限りにおいて特段の制限はない。但し、遊技球の衝突や摩擦で傷つくと、その傷で視認性が低下するおそれがあるから、ある程度以上の耐擦過性を備えた材質であることが望ましい。この条件や入手し易さなどを考慮すると、ポリカーボネート、ポリエチレンテレフタレート、ポリプロピレン等が例示される。
【００１０】
仕切シートは遊技球を跳ね返す必要はないので（剛性は要求されないので）、その厚みは薄くてよい。材質との関係もあるが、１．２ｍｍ以下で十分である。そのような厚さ（非剛性）の仕切シートであれば、遊技球が衝突しても衝突音がほとんど発生しないという利点もある。一方、薄くしすぎると弛みやすくなるので、材質との関係もあるが、０．２ｍｍ以上が好ましい。
【００１１】
仕切シートはステージから可動物側への遊技球の飛び込みを防止できればよいので、仕切としての高さは、飛び込み防止に十分であればよい（ステージから適宜の高さまであれば足りる）ことになる。しかし、それだと見た目がよくないから、可動物が配置されている側とステージ側とを仕切シートにて完全に仕切る構成（仕切シートの外周を遊技者に見せいない構成）とするのがよい。
【００１２】
仕切シートの取り付け構造等に特段の制限はないが、請求項２記載の構成、すなわち、請求項１記載の表示装置の枠体において、該枠体は、前記窓枠体及び可動物が含まれる窓構造部と前記ステージが含まれる通路構造部とを備え、前記仕切シートは前記窓構造部と前記通路構造部とに挟持されている構成を採用するとよい。このようにすると、窓構造部と通路構造部とを組み合わせる際に両構造部間に仕切シートを挟み込めばよいので、組み立て作業が容易になる。
【００１３】
請求項３記載の表示装置の枠体は、請求項１または２記載の表示装置の枠体において、前記窓枠体は筒状体であり、前記仕切シートは、該筒状体の前端の開口部分を閉鎖している構成であるので、上述の可動物が配置されている側とステージ側とを仕切シートにて完全に仕切る構成（仕切シートの外周を遊技者に見せいない構成）とするのに適している。
【発明を実施するための最良の形態】
【００１４】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１、図２に示すように、表示装置の枠体であるセンターケース１０は表示装置の表示面を臨ませるための窓１１を有する窓枠体１２を備えている。本実施例のセンターケース１０は液晶表示装置用であるが、液晶表示装置の図示及び説明は省略する。
【００１５】
窓枠体１２は正面から見た外形が長方形の筒状体であり、手前（遊技者側）がわずかに開いたラッパ状になっている。その窓枠体１２の後端部が上述の窓１１となっている。
窓枠体１２の下辺部分は、下辺奥部材１４と下辺前部材１８とで構成されており、下辺奥部材１４の手前側には段差が形成されている。下辺奥部材１４には半円状の凹み１５が４箇所設けられており、下辺前部材１８には各凹み１５に１個あてで豚人形（可動物に該当）１６が取り付けられている。豚人形１６は豚の頭部と前足を象っており、頭部は後端部を支点として口を開閉するように可動である。
【００１６】
下辺奥部材１４と下辺前部材１８の下側には駆動部ケース１９が取り付けられ、駆動部ケース１９の外面にはモータ２０が取り付けられている。駆動部ケース１９にはモータ２０の回転を豚人形１６に伝達して駆動するためのギヤやカム等からなる伝達部２１（詳細説明は省略）が収容されており、モータ２０を回転させると豚人形１６の頭部を上下させて口を開閉するように動作させることができる。
【００１７】
図２に良好に示される通り、窓枠体１２の前端の開口部分は仕切シート２３によって閉鎖されている。仕切シート２３は透明なポリカーボネートのシート（厚みは１．０ｍｍ）をほぼ長方形に打ち抜き切断したものを使用している。
【００１８】
下辺前部材１８の手前には、仕切シート２３を挟んでステージ２４が配されている。ステージ２４は中央部が低くて左右が高い緩やかな円弧状であり、更に中央部には誘導凹部２５が設けられている。このため、ステージ２４上に遊技球があれば、円弧状の傾斜により中央部へ誘導され、誘導凹部２５から手前に落下する。このステージ２４は、ベースブロック２７の筒状の部分に取り付けられている。
【００１９】
ベースブロック２７にはワープ入口となる受入樋２８、ワープ出口２６が開けられた出口ブロック２９及び樋部材３０が取り付けられており、これらにより、受入樋２８からワープ出口２６に至るワープ通路が形成されている。このため、受入樋２８から流入した遊技球はワープ通路を通ってワープ出口２６からステージ２４の端部に放出される。
【００２０】
受入樋２８の上方には飾りブロック３２が配され、ベースブロック２７によって保持されている。また２つの飾りブロック３２間の上方には山状の庇飾り３３が配され、これもベースブロック２７によって保持されている。
【００２１】
庇飾り３３の中央部には窓状の開口３４が設けられ、その中に中華鍋を象った鍋飾り３５が配されている。また、開口３４の下には棒３６に吊り下げられた提灯３７が配されている。鍋飾り３５は前縁部を昇降させるように可動で、棒３６は左右に可動（これに伴って提灯３７が揺れる）である。そして、ベースブロック２７の背後には、鍋飾り３５及び棒３６を駆動するための上部駆動機構３８が配されている。
【００２２】
センターケース１０の組立手順は、おおむね次のように行われる。
まず、ベースブロック２７には、ステージ２４、受入樋２８、出口ブロック２９、樋部材３０、庇飾り３３、棒３６、提灯３７、飾りブロック３２等の前面側の構成部材を取り付ける。この状態で通路構造部に該当する構造が完成する。一方、窓枠体１２を組み立てて、駆動部ケース１９（伝達部２１）及びモータ２０を取り付け、豚人形１６を取り付ける。これにより窓構造部に該当する構造が完成する。そして、仕切シートをベースブロック２７側（通路構造部）と窓枠体１２側（窓構造部）とで挟んで、両者をビスにて連結する。その後、鍋飾り３５や上部駆動機構３８をベースブロック２７の背後側から取り付ける。
【００２３】
センターケース１０はベースブロック２７に設けられているビス穴２７ａを用いて遊技盤にねじ止めされ、液晶表示装置が、窓１１に画面を対応させて、窓枠体１２の背後側に取り付けられる。
【００２４】
センターケース１０が装着された遊技機（例えばパチンコ機）にて遊技が行われると、液晶表示装置の表示に応じて豚人形１６が開閉動作する。
一方、遊技球が受入樋２８からワープ通路に流入してワープ出口２６からステージ２４の端部に放出されると、この遊技球がステージ２４の円弧状の傾斜に従って左から右へ或いは右から左へ、また中央部を横切って往復するなど遊動し、やがては誘導凹部２５から手前に落下する。
【００２５】
ステージ２４上での遊技球の挙動は整然としたものではなく、例えばワープ出口２６からの流出方向、その勢い、他の遊技球との接触、ベースブロック２７の縁部との接触等によって不規則になる。遊技球がそうした不規則な動きをすると、ときにはステージ２４から跳ね上がるようにして豚人形１６へ向かうことがある。
【００２６】
しかし、ステージ２４と豚人形１６との間には仕切シート２３が存在するので、そのような遊技球が豚人形１６に侵入するのを仕切シート２３が阻止する。これにより、遊技球がステージ２４から豚人形１６側に侵入して豚人形１６に衝突したり、豚人形１６の間にはまり込んだりして動作を妨げることはない。
【００２７】
仕切シート２３は透明なポリカーボネートのシートを切断して作られているので、仕切シート２３には光学的な歪み等はなく、光の透過性はきわめて均等であり、これが液晶表示装置の視認性を低下させることはない。
【００２８】
仕切シート２３は、窓枠体１２が含まれる窓構造部とステージ２４が含まれる通路構造部とに挟持される構造であり、窓構造部と通路構造部とを組み合わせて連結する際に両構造部間に仕切シート２３を挟み込んでいるので、センターケース１０の組み立て作業が容易になる。
【００２９】
しかも、仕切シート２３は窓枠体１２の前面側の開口を閉鎖し、その外周部は通路構造部に覆い隠されるので、遊技者が一見しただけでは存在に気づかない程に見た目もよい。
【図面の簡単な説明】
【００３０】
【図１】実施例のセンターケースの正面図。
【図２】図１の中心線に沿った断面図。
【符号の説明】
【００３１】
１０・・・センターケース（表示装置の枠体）、
１１・・・窓、
１２・・・窓枠体、
１４・・・下辺奥部材、
１６・・・豚人形（可動物）、
１８・・・下辺前部材、
２３・・・仕切シート、
２４・・・ステージ、
２６・・・ワープ出口。
【図１】
2006051156.tif 000003
【図２】
2006051156.tif 000004